(57)【要約】【課題】光透過性を有する部分の表面の少なくとも一部がマット加工されている加飾フィルムを用いた加飾成形品において、加飾成形品の歩留まりの向上を図ることができる加飾フィルム、及びこれを形成するための転写シート、並びに前記加飾フィルムを用いた加飾成形品を提供する。【解決手段】フィルム面が、第１領域１、第１領域１を囲む第２領域２、及び第２領域２を囲む第３領域３を有し、第１領域１が光透過性を有し、第１領域１のＪＩＳ  Ｚ８７４１：１９９７に準じて測定されるフィルム表面のＧｓ1（６０°）が、第３領域３のＪＩＳ  Ｚ８７４１：１９９７に準じて測定されるフィルム表面の６０度鏡面光沢度Ｇｓ3（６０°）よりも小さく、第２領域２のフィルム表面のＧｓ2（６０°）が、第１領域側から第３領域側に向かってＧｓ1（６０°）からＧｓ3（６０°）まで漸増している加飾フィルム。【選択図】図１
2018094823.tif 000002
【特許請求の範囲】
【請求項１】
フィルム面が、第１領域、前記第１領域に接する第２領域、及び前記２領域に接する第３領域を有し、
前記第１領域が光透過性を有し、
前記第１領域のＪＩＳ  Ｚ８７４１：１９９７に準じて測定されるフィルム表面の６０度鏡面光沢度Ｇｓ1（６０°）が、前記第３領域のＪＩＳ  Ｚ８７４１：１９９７に準じて測定されるフィルム表面の６０度鏡面光沢度Ｇｓ3（６０°）よりも小さく、
前記第２領域のＪＩＳ  Ｚ８７４１：１９９７に準じて測定されるフィルム表面の６０度鏡面光沢度Ｇｓ2（６０°）が、前記第１領域側から前記第３領域側に向かってＧｓ1（６０°）からＧｓ3（６０°）まで漸増している、加飾フィルム。
【請求項２】
前記Ｇｓ1（６０°）の前記Ｇｓ3（６０°）に対する比［Ｇｓ1（６０°）／Ｇｓ3（６０°）］が０．６以下である、請求項１に記載の加飾フィルム。
【請求項３】
前記第１領域のＪＩＳ  Ｂ０６０１：２００１に準じて測定されるフィルム表面のカットオフ値０．８ｍｍでの算術平均粗さＲａ1が、ＪＩＳ  Ｂ０６０１：２００１に準じて測定される前記第３領域のフィルム表面のカットオフ値０．８ｍｍでの算術平均粗さＲａ3より大きく、
前記第２領域のＪＩＳ  Ｂ０６０１：２００１に準じて測定されるフィルム表面のカットオフ値０．８ｍｍでの算術平均粗さＲａ2が、前記第１領域側から前記第３領域側に向かってＲａ1からＲａ3まで漸減している、請求項１又は２に記載の加飾フィルム。
【請求項４】
前記Ｒａ1が０．１０〜０．３０μｍであり、前記Ｒａ3が０．１０μｍ未満である、請求項３に記載の加飾フィルム。
【請求項５】
前記第２領域の幅が、該加飾フィルムの最大径の０．１〜２．０％である、請求項１〜４のいずれか１項に記載の加飾フィルム。
【請求項６】
離型シート上に、前記離型シートに接する転写層を少なくとも備えた転写シートであって、
前記転写層の転写面が、第１領域、前記第１領域に接する第２領域、及び前記第２領域に接する第３領域を有し、
前記第１領域が光透過性を有し、
前記転写層を黒色平滑板に転写した際に、
前記第１領域のＪＩＳ  Ｚ８７４１：１９９７に準じて測定される転写層表面の６０度鏡面光沢度Ｇｓ'1（６０°）が、前記第３領域のＪＩＳ  Ｚ８７４１：１９９７に準じて測定される転写層表面の６０度鏡面光沢度Ｇｓ'3（６０°）よりも小さく、
前記第２領域のＪＩＳ  Ｚ８７４１：１９９７に準じて測定される転写層表面の６０度鏡面光沢度Ｇｓ'2（６０°）が、前記第１領域側から前記第３領域側に向かってＧｓ'1（６０°）からＧｓ'3（６０°）まで漸増している、転写シート。
【請求項７】
前記Ｇｓ'1（６０°）の前記Ｇｓ'3（６０°）に対する比［Ｇｓ'1（６０°）／Ｇｓ'3（６０°）］が０．６以下である、請求項６に記載の転写シート。
【請求項８】
前記転写層を平滑板に転写した際に、
前記第１領域のＪＩＳ  Ｂ０６０１：２００１に準じて測定される転写層表面のカットオフ値０．８ｍｍでの算術平均粗さＲａ'1が、ＪＩＳ  Ｂ０６０１：２００１に準じて測定される前記第３領域の転写層表面のカットオフ値０．８ｍｍでの算術平均粗さＲａ'3より大きく、
前記第２領域のＪＩＳ  Ｂ０６０１：２００１に準じて測定される転写層表面のカットオフ値０．８ｍｍでの算術平均粗さＲａ'2が、前記第１領域側から前記第３領域側に向かってＲａ'1からＲａ'3まで漸減している、請求項７に記載の転写シート。
【請求項９】
前記Ｒａ'1が０．１０〜０．３０μｍであり、前記Ｒａ'3が０．１０μｍ未満である、請求項８に記載の転写シート。
【請求項１０】
前記第２領域の幅が、前記転写層の最大径の０．１〜２．０％である、請求項６〜９のいずれか１項に記載の転写シート。
【請求項１１】
請求項１〜５のいずれか１項に記載の加飾フィルムを樹脂成形体上に備えた加飾成形品。
【請求項１２】
ディスプレイパネルである、請求項１１に記載の加飾成形品。
【請求項１３】
請求項６〜１０のいずれか１項に記載の転写シートの転写層側の面を、加飾対象の物品表面に密着させた後、前記離型シートを剥離して、前記転写層が前記物品に転写された加飾成形品を得る、加飾成形品の製造方法。
【発明の詳細な説明】
【技術分野】
【０００１】
本発明は、樹脂成形体等の表面に好適に適用できる加飾フィルム、これを形成するための転写シート、並びに加飾成形品及びその製造方法に関する。
【背景技術】
【０００２】
家庭用電化製品や自動車内装品、雑貨品等の分野において、パネル等の物品の表面に装飾を施すために、加飾フィルムが用いられる場合がある。加飾フィルムを用いた加飾方法の１つとして、転写法が知られている。
転写法は、離型シート上に、所望の図柄や機能のパターンを備えた転写層を積層した転写シートを用いる方法である。具体的には、転写シートの転写層側の面を加飾対象の物品表面に密着させた後、離型シートを剥離することにより、転写層を物品に転写し、転写層と物品とが一体化された加飾成形品を得る方法である。この転写層が、加飾フィルムに相当する。
【０００３】
加飾フィルムを用いた加飾方法は、同種の加飾成形品を量産する上で優れているものの、加飾フィルムが部分的に光透過性を有するものである場合、物品の表面に密着させる加飾フィルムが位置ずれを生じると、加飾成形品の装飾性や意匠性が損なわれるおそれがある。
【０００４】
このため、例えば、転写シートを用いる場合に、転写層の光透過性部分に図柄がはみ出したり、ずれたりすることがないようにするため、また、転写層と一体化させる物品に対する位置合わせを容易にするための手段が提案されている。
例えば、特許文献１には、転写層の個別転写領域に部分マット層が形成されている部分マットハードコート転写シートにおいて、個別転写領域外のマージン領域に対応する離型シートの領域に、光学マーカを形成し、該マーカを光学センサで読み取ることにより、位置合わせの精度の向上を図ることができることが記載されている。
【先行技術文献】
【特許文献】
【０００５】
【特許文献１】特許第４７９１５９６号公報
【発明の概要】
【発明が解決しようとする課題】
【０００６】
しかしながら、上記特許文献１に記載されているような光学マーカを適用した場合であっても、転写シート形成時や加飾成形品の成形時において、転写シートの各構成層の熱膨張又は熱収縮の程度の差により、必ずしも、位置合わせの精度を向上できるとは限らない。このため、部分マット層が形成される個別転写領域が光透過性を有する場合、転写シートにおける転写層の光透過性部分での図柄のはみ出しや位置ずれ、また、加飾成形品における装飾の位置ずれが視認されることも少なくなく、このような加飾成形品の歩留まりが必ずしも良好であるとは言えなかった。
【０００７】
本発明は、このような状況に鑑みてなされたものであり、光透過性を有する部分の表面の少なくとも一部がマット加工されている加飾フィルムを用いた加飾成形品において、加飾成形品の歩留まりの向上を図ることができる加飾フィルム、及びこれを形成するための転写シート、並びに前記加飾フィルムを用いた加飾成形品及びその製造方法を提供することを目的とする。
【課題を解決するための手段】
【０００８】
本発明は、加飾フィルムに、光沢感に差がある領域間に所定の中間領域を形成することにより、加飾成形品における装飾の位置ずれの視認を抑制することを見出したことに基づくものである。
【０００９】
すなわち、本発明は、以下の［１］〜［１３］を提供するものである。
［１］フィルム面が、第１領域、前記第１領域に接する第２領域、及び前記２領域に接する第３領域を有し、前記第１領域が光透過性を有し、前記第１領域のＪＩＳ  Ｚ８７４１：１９９７に準じて測定されるフィルム表面の６０度鏡面光沢度Ｇｓ1（６０°）が、前記第３領域のＪＩＳ  Ｚ８７４１：１９９７に準じて測定されるフィルム表面の６０度鏡面光沢度Ｇｓ3（６０°）よりも小さく、前記第２領域のＪＩＳ  Ｚ８７４１：１９９７に準じて測定されるフィルム表面の６０度鏡面光沢度Ｇｓ2（６０°）が、前記第１領域側から前記第３領域側に向かってＧｓ1（６０°）からＧｓ3（６０°）まで漸増している、加飾フィルム。
［２］前記Ｇｓ1（６０°）の前記Ｇｓ3（６０°）に対する比［Ｇｓ1（６０°）／Ｇｓ3（６０°）］が０．６以下である、上記［１］に記載の加飾フィルム。
［３］前記第１領域のＪＩＳ  Ｂ０６０１：２００１に準じて測定されるフィルム表面のカットオフ値０．８ｍｍでの算術平均粗さＲａ1が、ＪＩＳ  Ｂ０６０１：２００１に準じて測定される前記第３領域のフィルム表面のカットオフ値０．８ｍｍでの算術平均粗さＲａ3より大きく、前記第２領域のＪＩＳ  Ｂ０６０１：２００１に準じて測定されるフィルム表面のカットオフ値０．８ｍｍでの算術平均粗さＲａ2が、前記第１領域側から前記第３領域側に向かってＲａ1からＲａ3まで漸減している、上記［１］又は［２］に記載の加飾フィルム。
［４］前記Ｒａ1が０．１０〜０．３０μｍであり、前記Ｒａ3が０．１０μｍ未満である、上記［３］に記載の加飾フィルム。
［５］前記第２領域の幅が、該加飾フィルムの最大径の０．１〜２．０％である、上記［１］〜［４］のいずれか１項に記載の加飾フィルム。
【００１０】
［６］離型シート上に、前記離型シートに接する転写層を少なくとも備えた転写シートであって、前記転写層の転写面が、第１領域、前記第１領域に接する第２領域、及び前記第２領域に接する第３領域を有し、前記第１領域が光透過性を有し、前記転写層を黒色平滑板に転写した際に、前記第１領域のＪＩＳ  Ｚ８７４１：１９９７に準じて測定される転写層表面の６０度鏡面光沢度Ｇｓ'1（６０°）が、前記第３領域のＪＩＳ  Ｚ８７４１：１９９７に準じて測定される転写層表面の６０度鏡面光沢度Ｇｓ'3（６０°）よりも小さく、前記第２領域のＪＩＳ  Ｚ８７４１：１９９７に準じて測定される転写層表面の６０度鏡面光沢度Ｇｓ'2（６０°）が、前記第１領域側から前記第３領域側に向かってＧｓ'1（６０°）からＧｓ'3（６０°）まで漸増している、転写シート。
［７］前記Ｇｓ'1（６０°）の前記Ｇｓ'3（６０°）に対する比［Ｇｓ'1（６０°）／Ｇｓ'3（６０°）］が０．６以下である、上記［６］に記載の転写シート。
［８］前記転写層を平滑板に転写した際に、前記第１領域のＪＩＳ  Ｂ０６０１：２００１に準じて測定される転写層表面のカットオフ値０．８ｍｍでの算術平均粗さＲａ'1が、ＪＩＳ  Ｂ０６０１：２００１に準じて測定される前記第３領域の転写層表面のカットオフ値０．８ｍｍでの算術平均粗さＲａ'3より大きく、前記第２領域のＪＩＳ  Ｂ０６０１：２００１に準じて測定される転写層表面のカットオフ値０．８ｍｍでの算術平均粗さＲａ'2が、前記第１領域側から前記第３領域側に向かってＲａ'1からＲａ'3まで漸減している、上記［７］に記載の転写シート。
［９］前記Ｒａ'1が０．１０〜０．３０μｍであり、前記Ｒａ'3が０．１０μｍ未満である、上記［８］に記載の転写シート。
［１０］前記第２領域の幅が、前記転写層の最大径の０．１〜２．０％である、上記［６］〜［９］のいずれか１項に記載の転写シート。
【００１１】
［１１］上記［１］〜［５］のいずれか１項に記載の加飾フィルムを樹脂成形体上に備えた加飾成形品。
［１２］ディスプレイパネルである、上記［１１］に記載の加飾成形品。
［１３］上記［６］〜［１０］のいずれか１項に記載の転写シートの転写層側の面を、加飾対象の物品表面に密着させた後、前記離型シートを剥離して、前記転写層が前記物品に転写された加飾成形品を得る、加飾成形品の製造方法。
【発明の効果】
【００１２】
本発明によれば、光透過性を有する部分の表面の少なくとも一部がマット加工されている加飾フィルムを用いた加飾成形品において、装飾の位置ずれが視認されることを抑制することができる。
したがって、前記加飾フィルムを用いることにより、加飾成形品の歩留まり向上を図ることができる。
また、本発明の転写シートによれば、このような加飾フィルム、さらに加飾成形品を好適に得ることができる。
【図面の簡単な説明】
【００１３】
【図１】本発明の加飾フィルムの実施形態の一例を示した平面図である。
【発明を実施するための形態】
【００１４】
以下、本発明の加飾フィルム、転写シート及び加飾成形品について、図面を参照して詳細に説明する。なお、本明細書中の「ＡＡ〜ＢＢ」との数値範囲の表記は、「ＡＡ以上ＢＢ以下」であることを意味する。
【００１５】
［加飾フィルム］
図１に、本発明の加飾フィルムの実施形態の一例を示す。図１に示すように、本発明の加飾フィルム１０は、フィルム面が、光透過性を有する第１領域１、第１領域１に接する第２領域２、及び第２領域２に接する第３領域３を有している。そして、第１領域１のＪＩＳ  Ｚ８７４１：１９９７に準じて測定されるフィルム表面の６０度鏡面光沢度Ｇｓ1（６０°）が、第３領域のＪＩＳ  Ｚ８７４１：１９９７に準じて測定されるフィルム表面の６０度鏡面光沢度Ｇｓ3（６０°）よりも小さく、かつ、第２領域２のＪＩＳ  Ｚ８７４１：１９９７に準じて測定されるフィルム表面の６０度鏡面光沢度Ｇｓ2（６０°）が、第１領域側から第３領域側に向かってＧｓ1（６０°）からＧｓ3（６０°）まで漸増していることを特徴としている。
【００１６】
なお、図１の加飾フィルム１０においては、第１領域１、第２領域２、及び第３領域３の外周は、いずれも長方形状であり、第１領域１を第２領域２が囲み、第２領域２を第３領域３が囲むように形成されているが、本発明の加飾フィルムの形状及び各領域の形態は、必ずしもこれに限定されるものではない。例えば、第１領域、第２領域、及び第３領域が順次並列して配置されていたり、第３領域を第２領域が囲み、該第２領域を第１領域が囲むように配置されていてもよい。
加飾フィルムが、画像や映像を中央に表示するディスプレイの加飾に用いられる場合は、ディスプレイ画面に対する防眩効果の観点から、第１領域が内側にある図１に示すような形態が好ましい。
【００１７】
本発明における加飾フィルムについての６０度鏡面光沢度は、ＪＩＳ  Ｚ８７４１：１９９７に準じて測定されるが、具体的には、加飾フィルム１０のフィルム裏面を、透明粘着剤を用いて黒色平滑板に貼付した試料の測定値である。このとき、界面反射を防止するため、フィルム裏面側の層と透明粘着剤との屈折率差を０．１５以内とすることが好ましく、より好ましくは０．１０以内とする。また、黒色平滑板は、ＪＩＳ  Ｋ７３６１−１：１９９７における全光線透過率が１％以下のものが好ましく、より好ましくは０％である。
【００１８】
加飾フィルム１０の第１領域１は、光透過性を有しており、かつ、Ｇｓ1（６０°）とＧｓ3（６０°）とには差があり、Ｇｓ1（６０°）はＧｓ3(６０°）よりも小さい。
Ｇｓ1（６０°）のＧｓ3（６０°）に対する比［Ｇｓ1（６０°）／Ｇｓ3（６０°）］が０．６以下であることが好ましく、より好ましくは０．５５以下、さらに好ましくは０．４５以下である。
すなわち、第１領域１のフィルム表面がマット感を有し、第３領域３のフィルム表面がグロス感を有している。特に、該加飾フィルムがディスプレイの加飾に用いられる場合、第１領域１がディスプレイ画面に対して防眩効果を奏するマット感を有し、第３領域３がディスプレイ枠に対してディスプレイ全体の高級感を高めるグロス感を有していることが好ましい。
【００１９】
Ｇｓ1（６０°）は、十分なマット感を得る観点から、１００％以下であることが好ましい。また、Ｇｓ1（６０°）が小さすぎて白化した印象を与えることを抑制する観点から、３０％以上であることが好ましく、より好ましくは４０〜９０％、さらに好ましくは５０〜８０％である。
【００２０】
第１領域１は、加飾フィルムの裏面に接している加飾対象の物品をフィルム表面から透過して視認することができ、かつ、フィルム表面がマット感を有しているものであることが好ましい。第１領域１は着色されていてもよい。
光透過率は、特に限定されるものではなく、フィルム表面から加飾対象の物品について所望の視認性を得ることができる程度でよく、該物品の装飾目的に応じて適宜定められる。例えば、該加飾フィルムがディスプレイの加飾に用いられる場合は、第１領域１のＪＩＳ  Ｋ７３６１−１：１９９７に準じて測定される全光線透過率が８５％以上であることが好ましく、より好ましくは９０％以上である。
【００２１】
Ｇｓ3（６０°）はＧｓ1（６０°）よりも大きく、すなわち、第３領域３は、第１領域１のマット感とは逆に、グロス感を有している。
Ｇｓ3（６０°）は、十分なグロス感を得る観点から、１００％以上であることが好ましく、より好ましくは１１０〜２００％である。
なお、第３領域３の光透過性の有無は限定されるものではなく、加飾対象の物品の装飾目的に応じて適宜定められる。また、第３領域３は着色されていてもよい。
【００２２】
第２領域２の任意の位置におけるＧｓ2（６０°）は、Ｇｓ1（６０°）以上Ｇｓ3（６０°）以下の値であり、第１領域側から第３領域側に向かってＧｓ1（６０°）からＧｓ3（６０°）まで漸増している。第２領域２において、光沢度がこのように変化していることにより、マット感のある第１領域１と、グロス感のある第３領域との間がシームレスの状態となる。
マット感のある領域とグロス感のある領域とが隣接して区画され、両領域の境界線が明瞭であるときは、加飾成形品において、加飾フィルムによる装飾が、１００ミクロンオーダーレベルのわずかな位置ずれを生じた場合にも、一般的な明視距離からの人の眼の識別能力によって、加飾フィルムによる装飾の位置ずれが視認される。これに対して、マット感のある領域とグロス感のある領域との間がシームレスである本発明の加飾フィルムを用いた加飾成形品においては、このような位置ずれを視認し難くすることができる。
したがって、加飾フィルムにより物品を装飾する場合の位置合わせの精度が必ずしも十分ではない場合であっても、加飾成形品における第１領域１への図柄のはみ出しやずれによる歩留まり低下を抑制することが可能となる。
【００２３】
６０度鏡面光沢度の漸増の程度は、第１領域１からの距離に対して比例していてもよく、あるいはまた、前記距離に対する増加率が途中で変化してもよい。第２領域２が明瞭なラインとして視認されることを抑制する観点からは、第１領域近傍及び第３領域近傍では前記増加率が小さく、両領域の中間付近に変曲点を有するように漸増していることがより好ましい。
第２領域２は着色されていてもよく、その場合、第１領域１と第３領域３との間で、色の濃淡、明暗及び色調が、グラデーションを有するように形成されていてもよい。
【００２４】
加飾フィルム１０の各領域の６０度鏡面光沢度の差異は、各領域の表面粗さの差異に基づくものであることが好ましい。フィルム表面のマット感及びグロス感は、該フィルム表面の表面粗さによって制御することができる。すなわち、フィルム表面の算術平均粗さが大きいほど、マット感が得られ、逆に、小さいほど、グロス感が得られる。
具体的には、第１領域１のＪＩＳ  Ｂ０６０１：２００１に準じて測定されるフィルム表面のカットオフ値０．８ｍｍでの算術平均粗さＲａ1が、ＪＩＳ  Ｂ０６０１：２００１に準じて測定される第３領域３のフィルム表面のカットオフ値０．８ｍｍでの算術平均粗さＲａ3より大きく、第２領域２のＪＩＳ  Ｂ０６０１：２００１に準じて測定されるフィルム表面のカットオフ値０．８ｍｍでの算術平均粗さＲａ2が、第１領域側から第３領域側に向かってＲａ1からＲａ3まで漸減していることが好ましい。
【００２５】
なお、本発明におけるＪＩＳ  Ｂ０６０１：２００１に準じて測定されるカットオフ値０．８ｍｍでの算術平均粗さは、いずれも、測定回数２０回の平均値である。
また、ここで言うＲａ2は、第１領域１の外周に対して平行な方向で測定した第２領域２のフィルム表面の粗さ曲線を基準とするものであり、「第１領域側から第３領域側に向かって漸減する」とは、このようにして測定したＲａ2が、第１領域１から測定位置までの距離が大きくなるほど、小さくなることを意味する。
【００２６】
前記算術平均粗さの漸減の程度は、上述した６０度鏡面光沢度の漸増と同様に変化していることが好ましい。すなわち、第１領域１からの距離に対して比例していてもよく、あるいはまた、前記距離に対する減少率が途中で変化してもよい。第２領域２が明瞭なラインとして視認されることを抑制する観点からは、第１領域近傍及び第３領域近傍では前記減少率が小さく、両領域の中間付近に変曲点を有するように漸減していることがより好ましい。
【００２７】
第１領域１の上述したＧｓ1（６０°）を表面凹凸によって得る観点から、Ｒａ1は０．１０〜０．３０μｍであることが好ましく、より好ましくは０．１２〜０．２０μｍ、さらに好ましくは０．１３〜０．１８μｍである。第３領域３については、凹凸が少ないことが好ましく、また、上述したＧｓ3（６０°）を得る観点から、Ｒａ3は０．１０μｍ以下であることが好ましく、より好ましくは０．１０μｍ未満、さらに好ましくは０．０７μｍ以下である。
【００２８】
第２領域２の幅ｄ2は、第１領域１及び第３領域３の装飾に応じて適宜定められるが、第１領域１と第３領域３との光沢感の較差が第２領域２において明瞭に視認されない程度であることが好ましい。このような観点から、ｄ2は、該加飾フィルムの最大径Ｌの０．１〜２．０％であることが好ましく、より好ましくは０．１〜１．５％、さらに好ましくは０．１〜１．０％である。
【００２９】
本発明の加飾フィルムは、上述した各領域を有するフィルム形成の容易性の観点から熱可塑性樹脂、熱硬化性樹脂、電離放射線硬化性樹脂等の樹脂を用いて形成されることが好ましい。各樹脂は、そのうちの１種を単独で用いても、２種以上を併用してもよい。これらのうち、強度及びフィルム表面形状の制御容易性等の観点から、より好ましくは電離放射線硬化性樹脂が用いられる。
【００３０】
電離放射線硬化性樹脂とは、電離放射線の照射により重合又は架橋する硬化反応を生じて得られる樹脂である。ここで言う電離放射線とは、電磁波又は荷電粒子線のうち、分子を重合又は架橋させるエネルギー量子を有するものを意味し、紫外線も含むものとする。
電離放射線硬化性樹脂としては、例えば、（メタ）アクリロイル基、ビニル基、アリル基等のエチレン性不飽和結合基、エポキシ基、オキセタニル基等を有する化合物の硬化反応により得られる樹脂が挙げられる。具体的には、硬度や耐スクラッチ性等の観点から、アクリル（メタ）アクリレート樹脂、ウレタン（メタ）アクリレート樹脂、ポリエステル（メタ）アクリレート樹脂、エポキシ（メタ）アクリレート樹脂、ポリエーテル（メタ）アクリレート樹脂等が好ましく、より好ましくはウレタン（メタ）アクリレート樹脂である。
【００３１】
熱可塑性樹脂としては、（メタ）アクリル樹脂、セルロース系樹脂、ウレタン樹脂、塩化ビニル樹脂、ポリエステル樹脂、ポリオレフィン、ポリカーボネート、ポリアミド、ポリスチレン、ＡＢＳ樹脂等が挙げられる。
熱硬化性樹脂としては、（メタ）アクリル樹脂、ポリウレタン、フェノール樹脂、尿素メラミン樹脂、エポキシ樹脂、不飽和ポリエステル樹脂、シリコーン樹脂等が挙げられる。
【００３２】
前記加飾フィルムは、単層で構成されていても、あるいはまた、支持体を含む複数層で構成されていてもよい。これらの各層は、第１領域１０が所望の光透過性を有し、かつ、Ｇｓ1（６０°）、Ｇｓ2（６０°）及びＧｓ3（６０°）が上記条件を満たす範囲内において、有機粒子や無機粒子等の添加剤を含有していてもよい。また、加飾対象の物品に接する加飾フィルム裏面は、該物品と密着して一体化可能となるように形成されていることが好ましく、例えば、感熱接着性や感圧接着性を有する接着剤層を有していてもよい。
【００３３】
前記加飾フィルムは、例えば、所定の支持体上に、公知の塗布方法や印刷方法で前記樹脂材料による層を形成することにより製造することができる。支持体上への前記層の形成は、フィルム面の各領域に正確かつ精密な表面形状を形成する観点から、版を用いて行うことが好ましい。特に、各領域でフィルム表面形状が異なる場合、予めフィルム表面形状に対して相補的な凹凸形状が形成された版を用いることが好ましい。
加飾フィルムは、加飾対象の物品表面に貼着される等により、該加飾対象の物品と一体化される。これにより、加飾フィルムを所定の物品、好ましくは樹脂成形体上に備えた加飾成形品が得られる。
あるいはまた、マット加工されたフィルム基材に、第２領域及び第３領域に対応する版を用いて塗布又は印刷することにより、前記フィルム基材の露出部分（マット加工面）を第１領域とした加飾フィルムを得ることができる。この場合、第２領域及び第３領域を転写法によって形成してもよい。
本発明の加飾フィルムは、版を用いる方法の中でも、フィルム表面物性を良好に制御する観点から、後述する本発明の転写シートによって形成されることがより好ましい。
【００３４】
［加飾成形品］
本発明の加飾フィルムによる加飾対象となる物品は特に限定されるものではない。すなわち、加飾フィルムが施された加飾成形品も特に限定されるものではないが、本発明の加飾フィルムは、第１領域が光透過性を有するものであることから、特に、画像や映像を表示するディスプレイ、照明等の表面に、第１領域が位置するような状態で好適に用いることができる。このような加飾成形品の適用例としては、例えば、カーナビゲーションシステム、パーソナルコンピュータ、タブレット端末、スマートフォン、その他の家庭用電化製品等のディスプレイパネルが挙げられる。
【００３５】
加飾成形品の中には、加飾対象となる物品の加飾フィルムと接する面とは反対側又は加飾フィルムと接する面側に着色や図柄が施されていたり、また、このような着色や図柄を加飾フィルムの裏面に施したりすることもある。
このような加飾成形品においては、加飾フィルムのフィルム面に対して垂直方向、すなわち正面から見たときと、フィルム面に対して斜め方向から見たときとで、第１領域の縁部において、これらの着色や図柄から受ける印象に差を生じる場合がある。例えば、ディスプレイパネルにおいては、ディスプレイ画面を正面から見たときよりも、斜め方向から見たときの方が、ディスプレイ画面から斜め方向に出射する光の影響が大きくなり、正面から見たときと斜め方向から見たときとで、着色部の色や図柄の印象が異なることがある。
このような場合に、第１領域に接して第２領域が設けられている本発明の加飾フィルムによれば、第１領域の縁部における上記のような印象の差を緩和することができる。
また、例えば、ディスプレイパネル等においては、加飾フィルムの第３領域に対応する部分のみに着色や図柄が施されている場合もある。特に、このような場合に、第２領域が設けられていることにより、加飾フィルムの正面から見たときと、斜め方向から見たときとで、これらの着色や図柄の縁部から受ける印象の差を生じ難くする効果が発揮されやすい。
【００３６】
上記のように、加飾対象となる物品や加飾フィルムの裏面に着色や図柄が施されている場合、上述した第２領域の幅ｄ2は、第１領域の縁部における印象の差を十分に緩和することができる程度であることが好ましい。具体的には、第２領域の幅ｄ2は、加飾対象となる物品や加飾フィルムの材質の屈折率にもよるが、加飾成形品の加飾フィルムの表面から、着色や図柄が施されている部分までの層厚さと同等程度でよく、好ましくは０．５〜１．０倍、より好ましくは０．７〜１．０倍である。
【００３７】
［転写シート］
前記加飾フィルムは、転写シートによって形成されることが好ましい。例えば、図１に示す加飾フィルム１０を形成する場合は、離型シート上に、前記離型シートに接する転写層を少なくとも備えた転写シートであって、前記転写層の転写面が、第１領域１、第１領域に接する第２領域２、及び第２領域２に接する第３領域３にそれぞれ相当する第１領域、第２領域、及び第３領域を有するものとする。そして、転写層の第１領域が光透過性を有し、転写層を黒色平滑板に転写した際に、第１領域のＪＩＳ  Ｚ８７４１：１９９７に準じて測定される転写層表面の６０度鏡面光沢度Ｇｓ'1（６０°）が、第３領域のＪＩＳ  Ｚ８７４１：１９９７に準じて測定される転写層表面の６０度鏡面光沢度Ｇｓ'3（６０°）よりも小さいものとする。Ｇｓ'1（６０°）のＧｓ'3（６０°）に対する比［Ｇｓ'1（６０°）／Ｇｓ'3（６０°）］は０．６以下であることが好ましい。
また、第２領域のＪＩＳ  Ｚ８７４１：１９９７に準じて測定される転写層表面の６０度鏡面光沢度Ｇｓ'2（６０°）が、第１領域側から第３領域側に向かってＧｓ'1（６０°）からＧｓ'3（６０°）まで漸増しているものとする。
すなわち、該転写シートの転写層表面が、加飾シート表面に相当する。したがって、該転写層表面のＧｓ'1（６０°）、Ｇｓ'2（６０°）及びＧｓ'3（６０°）については、それぞれ、前記加飾シートのＧｓ1（６０°）、Ｇｓ2（６０°）及びＧｓ3（６０°）についての説明と同様であるため、省略する。
【００３８】
転写層の第２領域の幅は、前記転写層の最大径の０．１〜２．０％であることが好ましい。この幅についても、上述した加飾フィルムにおけるＬに対するｄ2の比と同様である。
【００３９】
また、前記転写シートの転写層表面は、前記加飾シートと同等の表面粗さを有していることが好ましい。具体的には、転写層を平滑板に転写した際に、第１領域のＪＩＳ  Ｂ０６０１：２００１に準じて測定されるフィルム表面のカットオフ値０．８ｍｍでの算術平均粗さＲａ'1が、ＪＩＳ  Ｂ０６０１：２００１に準じて測定される第３領域のフィルム表面のカットオフ値０．８ｍｍでの算術平均粗さＲａ'3より大きく、第２領域のＪＩＳ  Ｂ０６０１：２００１に準じて測定されるフィルム表面のカットオフ値０．８ｍｍでの算術平均粗さＲａ'2が、第１領域側から第３領域側に向かってＲａ'1からＲａ'3まで漸減していることが好ましい。
Ｒａ'1は、上述したＧｓ'1（６０°）を第１領域の表面凹凸によって得る観点から、０．１０〜０．３０μｍであることが好ましく、より好ましくは０．１２〜０．２０μｍ、さらに好ましくは０．１３〜０．１８μｍである。同様に、Ｒａ'3は、上述したＧｓ'3（６０°）を第３領域の表面凹凸によって得る観点から、０．１０μｍ未満であることが好ましく、より好ましくは０．０７μｍ以下、さらに好ましくは０．０５μｍ以下である。
転写層表面のＲａ'1、Ｒａ'2及びＲａ'3についても、それぞれ、前記加飾シートのＲａ1、Ｒａ2及びＲａ3についての説明と同様であるため、省略する。
【００４０】
なお、転写シートの転写層表面においては、一般に、表面粗さが異なる領域間で、転写層と離型シートの接着強度が異なる。このため、加飾対象の物品に密着させた転写シートの離型シートの一端を転写層表面から剥離する際、同等の剥離強度で剥離すると、剥離速度が一定とならず、剥離速度が急激に変化した箇所に、いわゆるストップマークが生じる。
これに対して、前記転写層は、第１領域と第３領域との間に、Ｒａ'1とＲａ'3との間の値の算術平均粗さＲａ'2を有する第２領域が形成されていることにより、剥離速度の急激な変化が抑制され、ストップマークが生じることを抑制する効果も得られる。
【００４１】
転写シートにおける転写層は、加飾対象の物品に転写される層であり、単層であっても、２層以上の積層構造を有していてもよいが、少なくとも、離型シートと接する層の表面が、前記加飾シートの表面となるように構成される。このため、転写層表面の層は、前記加飾シートと同様の材料により構成されることが好ましい。
【００４２】
また、転写層を加飾対象の物品に接着して一体化するためには、別途、接着剤を用いてもよいが、転写層の離型シートと反対側の裏面は接着性を有する層を有していることが好ましい。転写層裏面の接着性を有する層は、通常、感熱接着性又は感圧接着性を有する層として形成され、その層を構成する樹脂組成は、加飾対象の物品の材質に応じて適宜定められる。
例えば、加飾対象の物品がアクリル系樹脂である場合は、接着性を有する層としてはアクリル系樹脂を用いることが好ましい。また、加飾対象の物品がポリプロピレン樹脂である場合は、接着性を有する層には、塩素化ポリオレフィン樹脂、塩素化エチレン−酢酸ビニル共重合体樹脂、環化ゴム、クマロン−インデン樹脂等を使用することが好ましい。また、加飾対象の物品がポリフェニレンオキサイド−ポリスチレン系樹脂、ポリカーボネート系樹脂又はスチレン系樹脂である場合は、接着性を有する層としては、これらの樹脂と親和性のあるアクリル系樹脂、ポリスチレン系樹脂、ポリアミド系樹脂等を用いることが好ましい。
【００４３】
転写層は、加飾成形品において求められる装飾等に応じて、図柄が印刷された図柄層や、高温でのインモールド成形を行う場合に耐熱性を付与するためのアンカー層等のその他の層を、必要に応じて有していてもよい。これらの各層は、該各層における公知の構成材料で形成することができる。
【００４４】
一方、離型シートは、転写層を加飾対象の物品に転写した後に剥離されるものであり、通常、基材上に、転写層と接する表面を有する剥離層が形成されたものである。
離型シートは、例えば、離型シートを剥離する際の作業性等の観点から、基材裏面に設けられる帯電防止層等のその他の層を、必要に応じて有していてもよい。
基材及び剥離層等の各層の構成材料は、特に限定されるものではなく、転写層の材質に応じて、該構成材料として公知の樹脂材料等を用いることができる。
【００４５】
上述したような転写層表面の表面粗さを得るためには、該転写層表面と接する離型シート表面に該転写層表面の形状と相補的な形状を形成しておくことが好ましい。
離型シート表面形状の形成は、複数の離型シートを一定の表面形状で効率的に製造する観点から、版を用いて行うことが好ましい。版は、所望の転写層表面形状を複製したものとする。版の作製は、金型にエッチングやサンドブラスト、切削、レーザー加工等を施すことにより行うことができる。
【００４６】
表面粗さが変化する領域を有する版を形成する方法としては、例えば、表面粗さが変化する領域である前記第２領域に対応する箇所の金型表面にネガ型感光性樹脂を塗布し、光透過性を徐々に変化させた所定のフォトマスクを用いて露光することによりパターニングし、現像後、当該部分及び前記第１領域に対応する箇所にサンドブラストを施す方法を用いることができる。また、サンドブラスト加工の際に、拡散ノズルを用いたり、ブラスト圧を変化させる等により、金型表面の研削量を調整して行うこともできる。このような方法により、所望の箇所において表面粗さが適宜調節された版を好適に得ることができる。
【００４７】
上記のようにして得られた版を用いて、グラビアコーティング等の公知の塗布又は印刷方法で、基材上に所定の樹脂材料等による剥離層を形成することにより、離型シートを作製することができる。そして、得られた離型シート表面に、転写層を塗布や印刷等により積層し、転写シートが得られる。
【００４８】
［加飾成形品の製造方法］
加飾フィルムに転写シートが用いられる場合、転写シートの転写層側の面を加飾対象の物品表面に密着させた後、離型シートを剥離することにより、転写層が前記物品に転写された加飾成形品を得ることができる。
また、加飾対象の物品の成形と同時に、該物品に転写シートを用いた加飾を行うインモールド成形により、加飾成形品を製造することもできる。このインモールド成形においては、成形金型の内側に向けて転写シートの転写層側の面を配置し、この金型内に所定の物品の構成樹脂材料を射出注入して、転写シートと所定の物品形状の樹脂とを一体成形する。その後、脱型して得られた樹脂成形体表面の転写シートの離型シートを剥離することにより、加飾成形品が得られる。このような方法によれば、加飾対象の物品表面が平面状の加飾成形品のみならず、曲面等の３次元表面形状を有する加飾成形品も好適に得ることができる。
【符号の説明】
【００４９】
１    第１領域
２    第２領域
３    第３領域
１０  加飾フィルム
【図１】
2018094823.tif 000003